(57)【要約】【課題】  長く延びたフレキシブルフラットケーブルの幅方向の端部を切断するフレキシブルフラットケーブルの切断装置において、上記フレキシブルフラットケーブルを正確に切断する。【解決手段】  長く延びたフレキシブルフラットケーブルＦＣ１の切断装置１において、カッター７で切断するために上記フレキシブルフラットケーブルＦＣ１を移動可能な移動手段５と、カッター７を上記フレキシブルフラットケーブルＦＣ１の幅方向に移動位置決めするカッター移動位置決め手段９と、導体Ｗ５の有無を検出する各導体検出手段１１、１３と、導体Ｗ５とカッター７の切断による切断面との距離が目標値とほぼ一致するように、カッター移動位置決め手段９を制御する制御手段とを有する。【選択図】図１
2005235477.tif 000002
【特許請求の範囲】
【請求項１】
所定の幅で長く延びた基材の表面に、上記基材の長手方向に所定の幅で長く延びた導体が設けられているフレキシブルフラットケーブルの切断装置において、
上記基材の長手方向に上記基材を切断する第１のカッターと； 
上記基材を上記第１のカッターで切断するために、上記基材を上記第１のカッターに対して相対的に移動可能な移動手段と；
上記第１のカッターを上記基材の幅方向に、上記基材に対して相対的に移動位置決めする第１のカッター移動位置決め手段と；
上記導体の有無を検出する第１の導体検出手段と；
上記第１の導体検出手段における検出位置とは離隔した位置で、上記導体の有無を検出する第２の導体検出手段と；
上記導体と上記第１のカッターの切断による切断面との距離が目標値とほぼ一致するように、上記第１の導体検出手段の検出結果と上記第２の導体検出手段の検出結果とに応じ、上記第１のカッター移動位置決め手段を制御する制御手段と；
を有することを特徴とするフレキシブルフラットケーブルの切断装置。
【請求項２】
請求項１に記載のフレキシブルフラットケーブルの切断装置において、
上記移動手段は、フレキシブルフラットケーブルの切断装置の基台に対して上記基材をこの基材の長手方向に移動する手段であり、
上記第１の導体検出手段は、上記第１のカッターと共に移動位置決めされるように設けられており、
上記第２の導体検出手段は、上記第１のカッターと共に移動位置決めされるように設けられていることを特徴とするフレキシブルフラットケーブルの切断装置。
【請求項３】
請求項２に記載のフレキシブルフラットケーブルの切断装置において、
上記導体の幅方向の一端面を挟む位置で、上記第１の導体検出手段の検出位置と上記第２の導体検出手段の検出位置とが僅かに離隔しており、
上記制御手段は、上記第１の導体検出手段が導体の存在を検出しておらず上記第２の導体検出手段が導体の存在を検出している場合には、上記第１のカッター移動位置決め手段によって上記第１のカッターをそのままの位置で保持し、上記第１の導体検出手段が導体の存在を検出し上記第２の導体検出手段も導体の存在を検出している場合、または、上記第１の導体検出手段が導体の存在を検出しておらず上記第２の導体検出手段も導体の存在を検出していない場合には、上記第１の導体検出手段が導体の存在を検出せず上記第２の導体検出手段が導体の存在を検出するように、上記第１のカッター移動位置決め手段によって上記第１のカッターを移動位置決めする手段であることを特徴とするフレキシブルフラットケーブルの切断装置。
【請求項４】
請求項２に記載のフレキシブルフラットケーブルの切断装置において、
上記１本の導体を挟む位置で、上記第１の導体検出手段の検出位置と上記第２の導体検出手段の検出位置とが、上記１本の導体の幅方向で、上記１本の導体の幅寸法よりも僅かに長い距離だけ離隔しており、
上記制御手段は、上記第１の導体検出手段が導体の存在を検出しておらず上記第２の導体検出手段も導体の存在を検出していない場合には、上記第１のカッター移動位置決め手段によって上記第１のカッターをそのままの位置で保持し、上記第１の導体検出手段または上記第２の導体検出手段が導体の存在を検出している場合には、上記第１の導体検出手段が導体の存在を検出せず上記第２の導体検出手段も導体の存在を検出しないように、上記第１のカッター移動位置決め手段によって上記第１のカッターを移動位置決めする手段であることを特徴とするフレキシブルフラットケーブルの切断装置。
【請求項５】
請求項２に記載のフレキシブルフラットケーブルの切断装置において、
上記１本の導体の幅方向の一端面の近傍であって常態において上記１本の導体が存在することを検出する位置に、上記第１の導体検出手段が設けられており、
上記１本の導体の幅方向の他端面の近傍であって常態において上記１本の導体が存在することを検出する位置に、上記第２の導体検出手段が設けられており、
上記制御手段は、上記第１の導体検出手段が導体の存在を検出しており上記第２の導体検出手段も導体の存在を検出している場合には、上記第１のカッター移動位置決め手段によって上記第１のカッターをそのままの位置で保持し、上記第１の導体検出手段または上記第２の導体検出手段が導体の存在を検出していない場合には、上記第１の導体検出手段が導体の存在を検出し上記第２の導体検出手段も導体の存在を検出するように、上記第１のカッター移動位置決め手段によって上記第１のカッターを移動位置決めする手段であることを特徴とするフレキシブルフラットケーブルの切断装置。
【請求項６】
請求項２に記載のフレキシブルフラットケーブルの切断装置において、
上記１本の導体の幅方向の一端面の近傍であって、常態において上記１本の導体が存在しないことを検出する位置に、上記第１の導体検出手段が設けられており、
上記１本の導体とこの幅方向で離反し隣接して設けられている他の１本の導体の幅方向の一端面であって、上記１本の導体の一端面と対向している一端面の近傍に、上記第２の導体検出手段が設けられていると共に、常態において上記他１本の導体が存在しないことを検出する位置に、上記第２の導体検出手段が設けられており、
上記制御手段は、上記第１の導体検出手段が導体の存在を検出しておらず上記第２の導体検出手段も導体の存在を検出していない場合には、上記第１のカッター移動位置決め手段によって上記第１のカッターをそのままの位置で保持し、上記第１の導体検出手段または上記第２の導体検出手段が導体を検出している場合には、上記第１の導体検出手段が導体の存在を検出せず上記第２の導体検出手段も導体の存在を検出しないように、上記第１のカッター移動位置決め手段によって上記第１のカッターを移動位置決めする手段であることを特徴とするフレキシブルフラットケーブルの切断装置。
【請求項７】
請求項２に記載のフレキシブルフラットケーブルの切断装置において、
上記１本の導体の幅方向の一端面の近傍であって、常態において上記１本の導体が存在することを検出する位置に、上記第１の導体検出手段が設けられており、
上記１本の導体とこの幅方向で離反し隣接して設けられている他の１本の導体の幅方向の一端面であって、上記１本の導体の一端面と対向している一端面の近傍に、上記第２の導体検出手段が設けられていると共に、常態において上記他１本の導体が存在することを検出する位置に、上記第２の導体検出手段が設けられており、
上記制御手段は、上記第１の導体検出手段が導体の存在を検出し上記第２の導体検出手段も導体の存在を検出している場合には、上記第１のカッター移動位置決め手段によって上記第１のカッターをそのままの位置で保持し、上記第１の導体検出手段または上記第２の導体検出手段が導体を検出していない場合には、上記第１の導体検出手段が導体の存在を検出し上記第２の導体検出手段も導体の存在を検出するように、上記第１のカッター移動位置決め手段によって上記第１のカッターを移動位置決めする手段であることを特徴とするフレキシブルフラットケーブルの切断装置。
【請求項８】
請求項１〜請求項７のうちのいずれか１項に記載のフレキシブルフラットケーブルの切断装置において、
上記基材の幅方向で上記第１のカッターとは離隔した位置に設けられ、上記基材の長手方向に上記基材を切断する第２のカッターと；
上記第２のカッターを上記基材の幅方向に、上記基材に対して相対的に移動位置決めする第２のカッター移動位置決め手段と；
を有し、上記移動手段は、上記基材を上記第２のカッターで切断するために、上記基材を上記第２のカッターに対して相対的に移動可能な手段であり、
上記制御手段は、上記基材の幅が目標値とほぼ一致するように、上記第１のカッター移動位置決め手段により移動位置決めされた上記第１のカッターの位置に応じ、上記第２のカッター移動位置決め手段を制御する手段であることを特徴とするフレキシブルフラットケーブルの切断装置。
【請求項９】
請求項１〜請求項８のうちのいずれか１項に記載のフレキシブルフラットケーブルの切断装置において、
上記基材の面には、上記基材の長手方向で所定の間隔をあけて、上記フレキシブルフラットケーブルを補強するための板状の補強部材が設けられており、
上記制御手段は、上記各カッターが上記補強部材が設けられている部位にさしかかったときには、上記各導体検出手段の検出結果にかかわらず、上記各カッターをそのままの位置で保持する手段であることを特徴とするフレキシブルフラットケーブルの切断装置。
【請求項１０】
所定の幅で長く延びた基材の表面に、上記基材の長手方向に所定の幅で長く延びた導体が設けられているフレキシブルフラットケーブルの切断方法において、
上記基材を長手方向で切断するために、上記基材をカッターに対して相対的に移動する移動段階と；
上記導体の有無を検出する第１の導体検出段階と；
上記第１の導体検出段階における検出位置とは離隔した位置で、上記導体の有無を検出する第２の導体検出段階と；
上記導体と上記切断による切断面との距離が目標値とほぼ一致するように、上記第１の導体検出段階の検出結果と上記第２の導体検出段階の検出結果とに応じて、上記カッターを上記基材の幅方向に移動位置決めするカッター移動位置決め段階と；
を有することを特徴とするフレキシブルフラットケーブルの切断方法。
【発明の詳細な説明】
【技術分野】
【０００１】
本発明は、フレキシブルフラットケーブルの切断装置およびフレキシブルフラットケーブルの切断方法に係り、特に、長く延びたフレキシブルフラットケーブルの幅方向の端面を切断するものに関する。
【背景技術】
【０００２】
フレキシブルフラットケーブル（ＦＦＣ）は、主に基板と基板間の信号を伝達するためのものであり、所定の幅で長く延び薄い板状に形成されている。
【０００３】
また、上記フレキシブルフラットケーブルは、端末部をコネクタ（上記基板に設けられたコネクタに）に挿入して使用するので、上記端末の幅寸法を高精度に切断加工する必要がある。
【０００４】
従来、上記端末の寸法を精度よく切断加工する装置として、図２０に示すようなフレキシブルフラットケーブル切断装置１００が知られている。
【０００５】
従来のフレキシブルフラットケーブル切断装置１００は、フレキシブルフラットケーブルＷ１００をこの長手方向（矢印ＡＲ１の方向）に送りつつ、基台１０２に設けられたカッター１０４Ａ、１０４Ｂで、上記フレキシブルフラットケーブルＷ１００の幅方向の両端部を切断するように構成されている。
【０００６】
また、従来のフレキシブルフラットケーブル切断装置１００は、カメラ１０６を含む画像処理装置によって、上記切断後のフレキシブルフラットケーブルＷ１００の幅寸法を測定し、この測定結果に応じて、上記各カッター１０４Ａ、１０４Ｂの位置決めを自動的に行い、上記フレキシブルフラットケーブルＷ１００を正確な幅寸法に切断するようになっている。
【０００７】
また、上記画像処理装置が無い場合は、切断後における上記端末の幅寸法をオペレータが手動で測定し、この結果に基づいて、上記フレキシブルフラットケーブル切断装置１００のオペレータが上記各カッター１０４Ａ、１０４Ｂの位置を調節することによって、上記フレキシブルフラットケーブルＷ１００を正確な幅寸法に切断するようになっている。
【０００８】
なお、フラットケーブルのサイドに印刷されたサイドマークを、画像処理装置で検出する装置として、たとえば特許文献１に記載のものが知られている。
【特許文献１】特開平７−３２６２４０号公報
【発明の開示】
【発明が解決しようとする課題】
【０００９】
ところで、従来のように、オペレータが手動で計測し、この計測値に基づいてカッターの位置を修正するのでは工数がかかり、オペレータの作業内容が煩雑であると共に、オペレータの熟練度によっては、フレキシブルフラットケーブルＷ１００を正確に切断することが困難であるという問題がある。
【００１０】
また、上記画像処理装置を用いたフレキシブルフラットケーブル切断装置１００では、切断後のフレキシブルフラットケーブルＷ１００の幅を測定するまでに、画像処理をするために時間がかかり、測定結果に応じて、各カッター１０４Ａ、１０４Ｂを位置決めし、フレキシブルフラットケーブルＷ１００を正確に切断することが困難であるという問題がある。
【００１１】
本発明は、上記問題点に鑑みてなされたものであり、長く延びたフレキシブルフラットケーブルの幅方向の端部を切断するフレキシブルフラットケーブルの切断装置およびフレキシブルフラットケーブルの切断方法において、上記フレキシブルフラットケーブルを正確に切断することが容易であるフレキシブルフラットケーブルの切断装置およびフレキシブルフラットケーブルの切断方法を提供することを目的とする。
【課題を解決するための手段】
【００１２】
請求項１に記載の発明は、所定の幅で長く延びた基材の表面に、上記基材の長手方向に所定の幅で長く延びた導体が設けられているフレキシブルフラットケーブルの切断装置において、上記基材の長手方向に上記基材を切断する第１のカッターと、上記基材を上記第１のカッターで切断するために、上記基材を上記第１のカッターに対して相対的に移動可能な移動手段と、上記第１のカッターを上記基材の幅方向に、上記基材に対して相対的に移動位置決めする第１のカッター移動位置決め手段と、上記導体の有無を検出する第１の導体検出手段と、上記第１の導体検出手段における検出位置とは離隔した位置で、上記導体の有無を検出する第２の導体検出手段と、上記導体と上記第１のカッターの切断による切断面との距離が目標値とほぼ一致するように、上記第１の導体検出手段の検出結果と上記第２の導体検出手段の検出結果とに応じ、上記第１のカッター移動位置決め手段を制御する制御手段とを有するフレキシブルフラットケーブルの切断装置である。
【００１３】
請求項２に記載の発明は、請求項１に記載のフレキシブルフラットケーブルの切断装置において、上記移動手段は、フレキシブルフラットケーブルの切断装置の基台に対して上記基材をこの基材の長手方向に移動する手段であり、上記第１の導体検出手段は、上記第１のカッターと共に移動位置決めされるように設けられており、上記第２の導体検出手段は、上記第１のカッターと共に移動位置決めされるように設けられているフレキシブルフラットケーブルの切断装置である。
【００１４】
請求項３に記載の発明は、請求項２に記載のフレキシブルフラットケーブルの切断装置において、上記導体の幅方向の一端面を挟む位置で、上記第１の導体検出手段の検出位置と上記第２の導体検出手段の検出位置とが僅かに離隔しており、上記制御手段は、上記第１の導体検出手段が導体の存在を検出しておらず上記第２の導体検出手段が導体の存在を検出している場合には、上記第１のカッター移動位置決め手段によって上記第１のカッターをそのままの位置で保持し、上記第１の導体検出手段が導体の存在を検出し上記第２の導体検出手段も導体の存在を検出している場合、または、上記第１の導体検出手段が導体の存在を検出しておらず上記第２の導体検出手段も導体の存在を検出していない場合には、上記第１の導体検出手段が導体の存在を検出せず上記第２の導体検出手段が導体の存在を検出するように、上記第１のカッター移動位置決め手段によって上記第１のカッターを移動位置決めする手段であるフレキシブルフラットケーブルの切断装置である。
【００１５】
請求項４に記載の発明は、請求項２に記載のフレキシブルフラットケーブルの切断装置において、上記１本の導体を挟む位置で、上記第１の導体検出手段の検出位置と上記第２の導体検出手段の検出位置とが、上記１本の導体の幅方向で、上記１本の導体の幅寸法よりも僅かに長い距離だけ離隔しており、上記制御手段は、上記第１の導体検出手段が導体の存在を検出しておらず上記第２の導体検出手段も導体の存在を検出していない場合には、上記第１のカッター移動位置決め手段によって上記第１のカッターをそのままの位置で保持し、上記第１の導体検出手段または上記第２の導体検出手段が導体の存在を検出している場合には、上記第１の導体検出手段が導体の存在を検出せず上記第２の導体検出手段も導体の存在を検出しないように、上記第１のカッター移動位置決め手段によって上記第１のカッターを移動位置決めする手段であるフレキシブルフラットケーブルの切断装置である。
【００１６】
請求項５に記載の発明は、請求項２に記載のフレキシブルフラットケーブルの切断装置において、上記１本の導体の幅方向の一端面の近傍であって常態において上記１本の導体が存在することを検出する位置に、上記第１の導体検出手段が設けられており、上記１本の導体の幅方向の他端面の近傍であって常態において上記１本の導体が存在することを検出する位置に、上記第２の導体検出手段が設けられており、上記制御手段は、上記第１の導体検出手段が導体の存在を検出しており上記第２の導体検出手段も導体の存在を検出している場合には、上記第１のカッター移動位置決め手段によって上記第１のカッターをそのままの位置で保持し、上記第１の導体検出手段または上記第２の導体検出手段が導体の存在を検出していない場合には、上記第１の導体検出手段が導体の存在を検出し上記第２の導体検出手段も導体の存在を検出するように、上記第１のカッター移動位置決め手段によって上記第１のカッターを移動位置決めする手段であるフレキシブルフラットケーブルの切断装置である。
【００１７】
請求項６に記載の発明は、請求項２に記載のフレキシブルフラットケーブルの切断装置において、上記１本の導体の幅方向の一端面の近傍であって、常態において上記１本の導体が存在しないことを検出する位置に、上記第１の導体検出手段が設けられており、上記１本の導体とこの幅方向で離反し隣接して設けられている他の１本の導体の幅方向の一端面であって、上記１本の導体の一端面と対向している一端面の近傍に、上記第２の導体検出手段が設けられていると共に、常態において上記他１本の導体が存在しないことを検出する位置に、上記第２の導体検出手段が設けられており、上記制御手段は、上記第１の導体検出手段が導体の存在を検出しておらず上記第２の導体検出手段も導体の存在を検出していない場合には、上記第１のカッター移動位置決め手段によって上記第１のカッターをそのままの位置で保持し、上記第１の導体検出手段または上記第２の導体検出手段が導体を検出している場合には、上記第１の導体検出手段が導体の存在を検出せず上記第２の導体検出手段も導体の存在を検出しないように、上記第１のカッター移動位置決め手段によって上記第１のカッターを移動位置決めする手段であるフレキシブルフラットケーブルの切断装置である。
【００１８】
請求項７に記載の発明は、請求項２に記載のフレキシブルフラットケーブルの切断装置において、上記１本の導体の幅方向の一端面の近傍であって、常態において上記１本の導体が存在することを検出する位置に、上記第１の導体検出手段が設けられており、上記１本の導体とこの幅方向で離反し隣接して設けられている他の１本の導体の幅方向の一端面であって、上記１本の導体の一端面と対向している一端面の近傍に、上記第２の導体検出手段が設けられていると共に、常態において上記他１本の導体が存在することを検出する位置に、上記第２の導体検出手段が設けられており、上記制御手段は、上記第１の導体検出手段が導体の存在を検出し上記第２の導体検出手段も導体の存在を検出している場合には、上記第１のカッター移動位置決め手段によって上記第１のカッターをそのままの位置で保持し、上記第１の導体検出手段または上記第２の導体検出手段が導体を検出していない場合には、上記第１の導体検出手段が導体の存在を検出し上記第２の導体検出手段も導体の存在を検出するように、上記第１のカッター移動位置決め手段によって上記第１のカッターを移動位置決めする手段であるフレキシブルフラットケーブルの切断装置である。
【００１９】
請求項８に記載の発明は、請求項１〜請求項７のうちのいずれか１項に記載のフレキシブルフラットケーブルの切断装置において、上記基材の幅方向で上記第１のカッターとは離隔した位置に設けられ、上記基材の長手方向に上記基材を切断する第２のカッターと、上記第２のカッターを上記基材の幅方向に、上記基材に対して相対的に移動位置決めする第２のカッター移動位置決め手段とを有し、上記移動手段は、上記基材を上記第２のカッターで切断するために、上記基材を上記第２のカッターに対して相対的に移動可能な手段であり、上記制御手段は、上記基材の幅が目標値とほぼ一致するように、上記第１のカッター移動位置決め手段により移動位置決めされた上記第１のカッターの位置に応じ、上記第２のカッター移動位置決め手段を制御する手段であるフレキシブルフラットケーブルの切断装置である。
【００２０】
請求項９に記載の発明は、請求項１〜請求項８のうちのいずれか１項に記載のフレキシブルフラットケーブルの切断装置において、上記基材の面には、上記基材の長手方向で所定の間隔をあけて、上記フレキシブルフラットケーブルを補強するための板状の補強部材が設けられており、上記制御手段は、上記各カッターが上記補強部材が設けられている部位にさしかかったときには、上記各導体検出手段の検出結果にかかわらず、上記各カッターをそのままの位置で保持する手段であるフレキシブルフラットケーブルの切断装置である。
【００２１】
請求項１０に記載の発明は、所定の幅で長く延びた基材の表面に、上記基材の長手方向に所定の幅で長く延びた導体が設けられているフレキシブルフラットケーブルの切断方法において、上記基材を長手方向で切断するために、上記基材をカッターに対して相対的に移動する移動段階と、上記導体の有無を検出する第１の導体検出段階と、上記第１の導体検出段階における検出位置とは離隔した位置で、上記導体の有無を検出する第２の導体検出段階と、上記導体と上記切断による切断面との距離が目標値とほぼ一致するように、上記第１の導体検出段階の検出結果と上記第２の導体検出段階の検出結果とに応じて、上記カッターを上記基材の幅方向に移動位置決めするカッター移動位置決め段階とを有するフレキシブルフラットケーブルの切断方法である。
【発明の効果】
【００２２】
本発明によれば、長く延びたフレキシブルフラットケーブルの幅方向の端部を切断するフレキシブルフラットケーブルの切断装置およびフレキシブルフラットケーブルの切断方法において、上記フレキシブルフラットケーブルを正確に切断することが容易であるという効果を奏する。
【発明を実施するための最良の形態】
【００２３】
［第１の実施形態］
図1は、本発明の第１の実施形態に係るフレキシブルフラットケーブルの切断装置１の概略構成を示す斜視図である。
【００２４】
フレキシブルフラットケーブルの切断装置１は、長く延びたフレキシブルフラットケーブル（ＦＦＣ）の長手方向に切り込みをいれて、上記フレキシブルフラットケーブルＦＣ１の幅寸法を整える装置である。
【００２５】
図２は、フレキシブルフラットケーブルの切断装置１に載置されているフレキシブルフラットケーブルＦＣ１およびフレキシブルフラットケーブルＦＣ１を形成するための素材Ｗ１の概略構成を示す平面図であり、図１におけるII矢視を示す図である。
【００２６】
図３は、図２におけるIIIＡ−IIIＢ断面であり、図４は、図２におけるIVＡ−IVＢ断面である。
【００２７】
フレキシブルフラットケーブルＦＣ１は、上述したように、たとえば、１つの基板に長手方向の一端末部が固定され、他の基板の他の端末部が固定され、上記各基板の間で信号等を伝達するために使用されるものであり、可撓性を有して所定の幅で長く延び薄い板状に形成されている。
【００２８】
フレキシブルフラットケーブルＦＣ１は、フレキシブルフラットケーブルＦＣ１の母材である素材Ｗ１から、切断線ＣＬ１、ＣＬ３、ＣＬ５、ＣＬ７によって切り出され、所定の幅で長く延びた長方形状に形成されている。
【００２９】
ここで、上記切断線ＣＬ１は、上記素材Ｗ１の長手方向に延伸している切断線であり、上記切断線ＣＬ３は上記切断線ＣＬ１と形状に延伸している切断線である。上記各切断線ＣＬ１、ＣＬ３によって上記素材Ｗ１を切断することにより、上記フレキシブルフラットケーブルＦＣ１の幅寸法等が決定される。
【００３０】
一方、上記切断線ＣＬ５は、上記素材Ｗ１の長手方向に直交している方向に延伸している切断線であり、上記切断線ＣＬ７は上記切断線ＣＬ１と形状に延伸している切断線である。上記各切断線ＣＬ５、ＣＬ７によって上記素材Ｗ１を切断することにより、上記フレキシブルフラットケーブルＦＣ１の長さ寸法等が決定される。
【００３１】
上記素材Ｗ１は、所定の幅で長く延びた薄い板状の基材Ｗ３を備え、この基材Ｗ３の表面（ひょうめん）には、上記基材Ｗ３の長手方向に長く延びた薄い帯状の導体Ｗ５が設けられている。
【００３２】
上記導体Ｗ５は、複数本設けられており、これらの導体Ｗ５は互いが平行でしかも離隔して設けられている。
【００３３】
導体Ｗ５が設けられている側の基材Ｗ３の面には、基材Ｗ３と同様な形状で薄く長く延びているカバー部材Ｗ７（基材Ｗ３とほぼ同様に構成された部材）が、上記導体Ｗ５を挟むように設けられている。なお、カバー部材Ｗ７には、長方形状の貫通孔Ｗ７Ａが、素材Ｗ１の長手方向で所定の間隔（フレキシブルフラットケーブルＦＣ１の長さに応じた間隔）で設けられており、この貫通孔Ｗ７Ａが存在している部位では、導体Ｗ５が覗けるようになっている。
【００３４】
さらに、上記貫通孔Ｗ７Ａによって導体Ｗ５が露出している部位とは反対側の上記基材Ｗ３の面には、上記フレキシブルフラットケーブルＦＣ１の導体露出部を補強するために、長方形状で板状の補強部材Ｗ１５が設けられている。
【００３５】
なお、図５に示すように、上記貫通孔Ｗ７Ａと同形状に形成され上記貫通孔Ｗ７Ａと重なっている貫通孔Ｗ３Ａを上記基材Ｗ３に設け、上記貫通孔Ｗ３Ａとこの貫通孔Ｗ３Ａの周囲に存在している上記基材Ｗ３の面とを塞ぐべく、上記カバー部材Ｗ７が設けられている面とは反対側の上記基材Ｗ３の面に、長方形状で板状の補強部材Ｗ１５を設けてもよい。
【００３６】
フレキシブルフラットケーブルの切断装置１は、上述したように、上記各切断線ＣＬ１、ＣＬ３のところで、素材Ｗ１を長手方向で切断するようになっており、各切断線ＣＬ１、ＣＬ３は、素材Ｗ１の幅方向において、上記各導体Ｗ５を挟むところに位置している。したがって、切断線ＣＬ１、ＣＬ３の箇所の切断では、導体Ｗ５は切断されない。
【００３７】
また、上記各切断線ＣＬ１、ＣＬ３で切断されることによって、端材（不要となる部材）Ｗ９、Ｗ１１が生成されると共に、フレキシブルフラットケーブルＦＣ１を構成する部位（幅寸法がｂ１である部位）Ｗ１３が形成されると共に、フレキシブルフラットケーブルＦＣ１の幅寸法が生成される。
【００３８】
上記部位Ｗ１３が形成された後、別工程で、切断線ＣＬ５、ＣＬ７での切断が行われ、所定の長さのフレキシブルフラットケーブルＦＣ１が生成される。
【００３９】
ここで、上記フレキシブルフラットケーブルの切断装置１について詳しく説明する。
【００４０】
フレキシブルフラットケーブルの切断装置１には、図１に示すように、基台３が設けられており、基台３の水平面状の上面を、素材Ｗ１が上流側から下流側に移動するようになっている。
【００４１】
すなわち、フレキシブルフラットケーブルの切断装置１は、上記基材Ｗ１を、後述する第１のカッター７や第２のカッター１５で切断するために、上記素材Ｗ１を上記第１のカッター７や第２のカッター１５に対して相対的に移動可能な移動手段５を備えている。
【００４２】
上記移動手段５は、たとえば、フレキシブルフラットケーブルの切断装置１の基台３に対して、上記素材Ｗ１をこの素材Ｗ１の長手方向に移動するものである。
【００４３】
より詳しく説明すると、図１の上流側（素材Ｗ１の送り方向の上流側）には、素材Ｗ１を巻き取って格納しているローラ（図示せず）が配置されており、下流側には、素材Ｗ１から生成させた部位Ｗ１３を巻き取って格納可能なローラ（図示せず）が配置されている。
【００４４】
そして、図示しないガイド部材によって素材Ｗ１をこの幅方向に移動しないようにガイドしつつ、上記各ローラ（特に下流側に設けられているローラ）を回転駆動することによって、素材Ｗ１が、この長手方向で上記基台の平面状の上面に沿って上流側から下流側に移動するようになっている。
【００４５】
また、フレキシブルフラットケーブルの切断装置１には、上記素材Ｗ１の長手方向に上記素材Ｗ１を切断する第１のカッター７が設けられている。なお、カッター７は、図２に示す切断線ＣＬ３のところで、素材Ｗ１を切断するものである。
【００４６】
そして、上述したように、カッター７の切断により形成された切断面で、フレキシブルフラットケーブルＦＣ１の幅方向の一方の端面ＦＣ１Ａが形成される。
【００４７】
上記第１のカッター７は、たとえば、上記素材Ｗ１の長手方向に延伸した平面を備えた刃具構成されている。なお、本件明細書では、上記刃具を保持可能な刃具保持手段（実際に刃具が装着されていなくてもよい。）もカッターに含めて考える。刃具は消耗品であり、フレキシブルフラットケーブルの切断装置１に限らず一般の刃具を用いた切断装置では、刃具が交換容易になっているからである。
【００４８】
また、フレキシブルフラットケーブルの切断装置１には、上記第１のカッター７を上記素材Ｗ１の幅方向に、上記素材Ｗ１に対して相対的に移動位置決めする第１のカッター移動位置決め手段９が設けられている。より、詳しく説明すると、上記第１のカッター移動位置決め手段９により、上記基台３に対して、上記カッター７が、上記素材Ｗ１の幅方向に移動され、上記素材Ｗ１の長手方向には移動しないようになっている。
【００４９】
具体的には、後述する制御手段によって制御される制御モータと、この制御モータの回転出力軸に連動連結されているボールネジ等の送りネジによって、上記カッター７を保持し、上記刃具保持手段を構成しているキャリッジが、図示しないリニアベアリング等を介して上記基台３に対して移動位置決めされるようになっている。
【００５０】
また、上記カッター７の上流側には、上記導体Ｗ５の有無（上記導体Ｗ５が存在しているか否か）を検出する第１の導体検出手段１１が設けられている。
【００５１】
上記第１の導体検出手段１１は、たとえば、投光器とこの投光器が発した光を受光可能な受光器とによって構成されている。上記投光器は、たとえば、上記素材Ｗ１の上側に配置されており、上記受光器は、たとえば、上記素材Ｗ１の下側に配置されている。
【００５２】
なお、上記投稿器と上記受光とが、図示しない連結部材で一体的に接続され、両者の相対的な位置関係が変化しないようになっている。
【００５３】
素材Ｗ１の基材Ｗ３やカバー部材Ｗ７は、ＰＥＴ等の薄い合成樹脂で構成されているので上記投光器の光をある程度通すが、上記導体Ｗ５は、銅等の金属で構成されているので、上記投光器の光を通さない。
【００５４】
そして、上記投光器が発した光を上記受光器で受光できたか否かで、上記導体Ｗ５の有無を検出している。
【００５５】
また、上記第１の導体検出手段１１は、カッター７に最も近い導体Ｗ５の端面（切断線ＣＬ３と対向している端面）の近傍であって、上記端面よりも僅かに上記切断線ＣＬ３側に設けられており、常態においては、導体Ｗ５を検出しないようになっている。
【００５６】
また、上記カッター７の上流側には、さらに、上記導体Ｗ５の有無を検出する第２の導体検出手段１３が設けられている。この第２の導体検出手段１３も、上記第１の導体検出手段１１と同様に構成されている。
【００５７】
ただし、上記第２の導体検出手段１３は、上記第１の導体検出手段１１における検出位置とは離隔した位置で、上記導体Ｗ５の有無を検出するようになっている。
【００５８】
すなわち、上記第２の導体検出手段１３は、カッター７に最も近い導体Ｗ５の端面（切断線ＣＬ３と対向している端面）の近傍であって、上記端面よりも僅かに上記切断線ＣＬ３から離隔する側に設けられて、常態においては、導体Ｗ５を検出するようになっている。
【００５９】
なお、上記説明では、上記第１導体検出手段１１の検出位置と上記第２の導体検出手段１３の検出位置とは、切断線ＣＬ３に最も近い導体Ｗ５の端面（切断線ＣＬ３と対向している端面）を挟む位置になっているが、上記端面とは反対側に位置している端面を挟む位置であってもよいし、他の導体（任意の１つの導体）Ｗ５の端面を挟む位置であってもよい。
【００６０】
換言すれば、上記各導体Ｗ５のうちの１つの導体の幅方向の一端面を挟む位置で、上記第１の導体検出手段１１の検出位置と上記第２の導体検出手段１３の検出位置とが僅かに離隔していればよい。
【００６１】
また、上記カッター７は、上記素材Ｗ１の長手方向で上記各導体検出手段１１、１３の近傍に設けられている。なお、上記各導体検出手段１１、１３をカッター７の上流側に設けてあるが、カッター７の近傍であってカッター７の下流側に設けてもよい。
【００６２】
また、上記第１の導体検出手段１１は、上記第１のカッター７と共に移動位置決めされるように設けられており、すなわち、上記カッター７と上記第１の導体検出手段１１との間における、上記素材Ｗ１の幅方向の寸法が固定されて、上記第１のカッター７と上記第１の導体検出手段１１とが移動位置決めされるようになっており、上記第２の導体検出手段１３も、上記第１のカッター７と共に移動位置決めされるように設けられている。
【００６３】
より詳しく説明すると、上記第１の導体検出手段１１を構成している投光器と受講器、上記第２の導体検出手段１７を構成している投光器と受講器、上記カッタ７を保持しているキャリッジが、図示しない連結部材で一体的接続されている。
【００６４】
そして、フレキシブルフラットケーブルの切断装置１では、上記導体Ｗ５と上記第１のカッター７の切断による切断面との距離（図２に示す距離ｂ３）が目標値とほぼ一致するように、上記第１の導体検出手段１１の検出結果と上記第２の導体検出手段１３の検出結果とに応じ、上記第１のカッター移動位置決め手段を制御手段（図示せず）で制御するようになっている。
【００６５】
すなわちたとえば、上記制御手段は、上記第１の導体検出手段１１が導体Ｗ５の存在を検出しておらず、上記第２の導体検出手段１３が導体Ｗ５の存在を検出している場合には、上記カッター移動位置決め手段９によるカッター７の、上記素材Ｗ１の幅方向の移動を中止し、上記カッター移動位置決め手段９によってカッター７をそのままの位置で保持するようになっている。
【００６６】
一方、上記第１の導体検出手段１１が導体Ｗ５の存在を検出し上記第２の導体検出手段１３も導体Ｗ５の存在を検出している場合、または、上記第１の導体検出手段１１が導体Ｗ５の存在を検出しておらず上記第２の導体検出手段１３も導体Ｗ５の存在を検出していない場合には、上記第１の導体検出手段１１が導体Ｗ５の存在を検出せず上記第２の導体検出手段１３が導体Ｗ５の存在を検出するように、上記カッター移動位置決め手段９によってカッター７を上記素材Ｗ１の幅方向で移動位置決めするようになっている。
【００６７】
また、フレキシブルフラットケーブルの切断装置１には、上記素材Ｗ１の幅方向で上記第１のカッター７とは離隔した位置に設けられ、上記素材Ｗ１の長手方向に上記素材Ｗ１を切断する第２のカッター１５が設けられている。なお、カッター１５は図２に示す切断線ＣＬ１のところで、素材Ｗ１を切断するものである。上記移動手段５によって素材Ｗ１が移動することより、素材Ｗ１がカッター１５で切断されるようになっている。
【００６８】
さらに、フレキシブルフラットケーブルの切断装置１には、上記第２のカッター１５を上記素材Ｗ１の幅方向に、上記素材Ｗ１に対して相対的に移動位置決めする第２のカッター移動位置決め手段１７が設けられている。
【００６９】
なお、上記第２のカッター１５は、上記第１のカッター７と同様に構成され、上記第２のカッター移動位置決め手段１７は、上記第１のカッター移動位置決め手段９と同様に構成されている。
【００７０】
また、上記制御手段では、上記素材Ｗ１の幅（図２に示すｂ１の寸法；ＦＦＣの幅寸法）が目標値とほぼ一致するように、上記第１のカッター移動位置決め手段９により移動位置決めされた上記第１のカッター７の位置に応じ、上記第２のカッター移動位置決め手段１７で、上記第２のカッター１５の位置を制御するようになっている。
【００７１】
また、上述したように、上記素材Ｗ１の上記導体Ｗ５が設けられている面とは反対側の面には、上記素材Ｗ１の長手方向で所定の間隔をあけて、上記フレキシブルフラットケーブルＦＣ１の長手方向の端面（端末）を補強するための板状の補強部材Ｗ１５が設けられている。
【００７２】
そして、上記制御手段は、上記各カッター７、１５が、上記補強部材Ｗ１５が設けられている部位にさしかかったときには、上記各導体検出手段１１、１３の検出結果にかかわらず、上記各カッター移動位置決め手段９、１７によって上記各カッター７、１５をそのままの位置で保持するようになっている。
【００７３】
次に、フレキシブルフラットケーブルの切断装置１の動作について説明する。
【００７４】
なお、以下に示す動作の前提として、送り手段５によって、素材Ｗ１が連続的に送られており、各カッター７、１５によって、素材Ｗ１の切断が行われているものとする。
【００７５】
図６、図７、図８は、フレキシブルフラットケーブルの切断装置１の動作について説明する図であり、図２に対応する図である。
【００７６】
なお、図６〜図８では、切断線ＣＬ３の最も近い導体Ｗ５のみを示してあり、その他の導体の表示は省略してあり、また、図６〜図８に黒丸で示した状態では、導体検出手段が導体を検出しており、白丸で示した状態では、導体検出手段が導体を検出していない。
【００７７】
まず、図８に示すように、第１の導体検出手段１１が導体Ｗ５の存在を検出せず第２の導体検出手段１３が導体Ｗ５の存在を検出している場合には、上記カッター移動位置決め手段９によるカッター７の移動を中止し、上記カッター移動位置決め手段９によってカッター７をそのままの位置で保持する。また、上記カッター移動位置決め手段１７によるカッター１５の移動を中止し、上記カッター移動位置決め手段１７によってカッター１５をそのままの位置で保持する。
【００７８】
一方、図６に示すように、上記第１の導体検出手段１１が導体Ｗ５の存在を検出し上記第２の導体検出手段１３も導体Ｗ５の存在を検出している状態になった場合には、図８に示す状態になるまで、矢印ＡＲ３で示す方向に、上記カッター移動位置決め手段９によってカッター７を移動し、上記カッター移動位置決め手段１７によってカッター１５を移動する。なお、図２に示す寸法ｂ１を一定に保つために、カッター７とカッター１５とは同じ距離だけ移動する。また、導体検出手段１１、１３もカッター７、１５と同様に移動する。
【００７９】
さらに、図７に示すように、上記第１の導体検出手段１１が導体Ｗ５の存在を検出せず上記第２の導体検出手段１３も導体Ｗ５の存在を検出していない状態になった場合には、図８に示す状態になるまで、矢印ＡＲ５で示す方向に、上記カッター移動位置決め手段９によってカッター７を移動し、上記カッター移動位置決め手段１７によってカッター１５を移動する。なお、図２に示す寸法ｂ１を一定に保つために、カッター７とカッター１５とは同じ距離だけ移動する。また、導体検出手段１１、１３もカッター７、１５と同様に移動する。
【００８０】
フレキシブルフラットケーブルの切断装置１によれば、フレキシブルフラットケーブルＦＣ１に設けられている導体Ｗ５の有無を検出することによって、カッター７、１５を位置決めしつつ上記フレキシブルフラットケーブルＦＣ１を切断するので、上記検出をしてからカッター７、１５の位置決めが終了するまでの時間が従来よりも短くなり、上記フシブルフラットケーブルＦＣ１を正確に切断することが容易になる。
【００８１】
すなわち、従来のフレキシブルフラットケーブルの切断装置１００では、画像処理装置を用いているので、フィードバック処理に時間がかかり、カッターの位置が定まるまでに長い時間を要し、または、カッター１０４Ａ、１０４Ｂの位置が収束せずに発散し、したがって、フレキシブルフラットケーブルの切断面が蛇行するおそれが大きい。
【００８２】
しかし、フレキシブルフラットケーブルの切断装置１によれば、導体Ｗ５の有無のみを検出するのでこの検出してからカッター７、１５の位置決めが終了するまでの時間が従来よりも短くなり、また、基材Ｗ３に対する導体Ｗ５の位置を予測して、各カッター７、１５を移動するフィードフォワード方式を採用しているので、各カッター７、１５を移動位置決めするための処理時間を従来よりも短くすることができる。したがって、フレキシブルフラットケーブルＦＣ１の切断面（幅方向の端面）の蛇行を極力小さくすることができる。
【００８３】
また、導体Ｗ５の有無を検出できればよいので、画像処理装置のカメラに比べて小さいもので導体を検出でき、導体検出手段１１、１３をカッター７、１５の近くに設けることが容易であり、したがって、フィードバックによるカッター７、１５の位置決めを一層正確にしかも収束するように行うことができ、フレキシブルフラットケーブルＦＣ１の切断面の蛇行を一層抑制することができる。
【００８４】
そして、上記導体Ｗ５の幅方向の一端面と上記切断面ＦＣ１Ａとの間の距離ｂ３が正確なものになるように、素材Ｗ１を切断することができる。
【００８５】
また、フレキシブルフラットケーブルの切断装置１によれば、素材Ｗ１（フレキシブルフラットケーブルＦＣ１）を長手方向に移動しカッター７、１５を上記素材Ｗ１の幅方向に移動位置決めしつつ、上記素材Ｗ１の切断を行うので、カッター７、１５を固定し素材Ｗ１をこの長手方向と幅方向に移動して切断を行う場合や、逆にカッター７、１５のみを移動して切断を行うに比べて、装置の構成を簡素化することができる。
【００８６】
また、フレキシブルフラットケーブルの切断装置１によれば、たとえば、１本の導体Ｗ５の幅方向の一端面を挟む位置で、上記第１の導体検出手段１１の検出位置と上記第２の導体検出手段１３の検出位置とが僅かに離隔して設けられているので、複数本並行に並んでいる導体Ｗ５の間の間隔かなんらかの要因でずれても、導体Ｗ５に対するカッター７、１５の位置を正確に位置決めすること、すなわち図２に示す寸法ｂ３を正確なものにすることが容易になっている。
【００８７】
さらに、フレキシブルフラットケーブルの切断装置１によれば、第１のカッター７の位置に応じてフレキシブルフラットケーブルＦＣ１（素材Ｗ１）の幅方向に移動可能な第２のカッター１５を設けて、フレキシブルフラットケーブルＦＣ１（素材Ｗ１）の幅方向の他の一端面を切断しているので、フレキシブルフラットケーブルＦＣ１の幅方向の寸法ｂ１を正確に整えることが容易になっている。
【００８８】
上述のように、上記導体Ｗ５の幅方向の一端部（一端面）と上記フレキシブルフラットケーブルＦＣ１の幅方向の一端面（切断面）との間の距離ｂ３を正確なものにすることができると共に、上記フレキシブルフラットケーブルＦＣ１の幅ｂ１も正確なものにすることができるので、フレキシブルフラットケーブルＦＣ１の端末（切断線ＣＬ５や切断線ＣＬ７の近傍）をコネクタに挿入した場合でも、上記コネクタの導体と上記フラットケーブルＦＣ１の導体Ｗ５との位置ずれを防ぐことができ、上記コネクタの導体と上記フラットケーブルＦＣ１の導体Ｗ５とを互いに確実に導通させることができる。
【００８９】
また、フレキシブルフラットケーブルの切断装置１によれば、上記カッター７、１５が上記補強部材Ｗ１５が設けられている部位にさしかかったときには、上記各導体検出手段１１、１３の検出結果にかかわらず、上記制御手段によってカッター７、１５をそのままの位置で保持するように制御するので、剛性の高い補強部材Ｗ１５の切断中には、カッター７、１５が上記フレキシブルフラットケーブルＦＣ１（素材Ｗ１）の幅方向に移動することはなく、したがってカッター７、１５や補強部材Ｗ１５を含むフレキシブルフラットケーブルＦＣ１に大きな力がかかることを回避することができ、カッター７、１５や補強部材Ｗ１５の破損を防止することができる。
【００９０】
［第２の実施形態］
図９、図１０、図１１は、第２の実施形態に係るフレキシブルフラットケーブルの切断装置の動作を示す図であり、図２に対応する図である。
【００９１】
なお、図９〜図１１では、切断線ＣＬ３に最も近い導体Ｗ５のみを示してあり、その他の導体の表示は省略してあり、素材Ｗ１の端面の表示は省略してある。また、図９〜図１１に黒丸で示した状態では、導体検出手段が導体を検出しており、白丸で示した状態では、導体検出手段１１、１３が導体を検出していない。
【００９２】
第２の実施形態に係るフレキシブルフラットケーブルの切断装置は、第１の導体検出手段１１の導体検出位置と、第２の導体検出手段１３の導体検出位置とが、第１の実施形態に係るフレキシブルフラットケーブルの切断装置１とは異なり、その他の点は、第１の実施形態に係るフレキシブルフラットケーブルの切断装置１と同様に構成されて動作し同様の効果を奏する。
【００９３】
すなわち、第２の実施形態に係るフレキシブルフラットケーブルの切断装置では、１本の導体Ｗ５を挟む位置で、第１の導体検出手段１１の検出位置と第２の導体検出手段１３の検出位置とが、上記１本の導体Ｗ５の幅方向で、上記１本の導体Ｗ５の幅寸法よりも僅かに長い距離だけ離隔して設けられている。
【００９４】
また、第１の導体検出手段１１が導体の存在を検出しておらず第２の導体検出手段１３も導体の存在を検出していない場合（図９に示す場合）には、上記各カッター移動位置決め手段９、１７によるカッター７、１５の移動を中止し、上記各カッター移動位置決め手段９、１７によって各カッター７、１５をそのままの位置で保持する。
【００９５】
一方、第１の導体検出手段１１または第２の導体検出手段１３が導体Ｗ５の存在を検出している場合（図１０または図１１に示す場合）には、第１の導体検出手段１１が導体Ｗ５の存在を検出せず第２の導体検出手段１３も導体Ｗ５の存在を検出しないように、上記各カッター移動位置決め手段９、１７によって各カッター７、１５を矢印ＡＲ７や矢印ＡＲ９の方向に移動し位置決めするようになっている。
【００９６】
［第３の実施形態］
図１２は、第３の実施形態に係るフレキシブルフラットケーブルの切断装置の動作を示す図であり、図２に対応する図である。
【００９７】
なお、図１２では、切断線ＣＬ３に最も近い導体Ｗ５のみを示してあり、その他の導体の表示は省略してあり、素材Ｗ１の端面の表示は省略してある。また、図１２に黒丸で示した状態では、導体検出手段１１、１３が導体を検出している。
【００９８】
第３の実施形態に係るフレキシブルフラットケーブルの切断装置は、第１の導体検出手段１１の導体検出位置と、第２の導体検出手段１３の導体検出位置とが、第１の実施形態に係るフレキシブルフラットケーブルの切断装置１とは異なり、その他の点は、第１の実施形態に係るフレキシブルフラットケーブルの切断装置１と同様に構成されて動作し同様の効果を奏する。
【００９９】
すなわち、第３の実施形態に係るフレキシブルフラットケーブルの切断装置では、１本の導体Ｗ５の幅方向の一端面の近傍であって常態において上記１本の導体Ｗ５が存在することを検出する位置に、上記第１の導体検出手段１１が設けられており、上記１本の導体Ｗ５の幅方向の他端面の近傍であって常態において上記１本の導体Ｗ５が存在することを検出する位置に、上記第２の導体検出手段１３が設けられている。
【０１００】
そして、第１の導体検出手段１１が導体Ｗ５の存在を検出しており第２の導体検出手段１３も導体Ｗ５の存在を検出している場合には、上記各カッター移動位置決め手段９、１７によるカッター７、１５の移動を中止し、上記各カッター移動位置決め手段９、１７によって各カッター７、１５をそのままの位置で保持するようになっている。
【０１０１】
一方、第１の導体検出手段１１または第２の導体検出手段１３が導体Ｗ５の存在を検出していない場合には、第１の導体検出手段１１が導体Ｗ５の存在を検出し第２の導体検出手段１３も導体Ｗ５の存在を検出するように、上記各カッター移動位置決め手段９、１７によって各カッター７、１５を、矢印ＡＲ１１または矢印ＡＲ１３の方向に移動し位置決めするようになっている。
【０１０２】
［第４の実施形態］
図１３は、第４の実施形態に係るフレキシブルフラットケーブルの切断装置の動作を示す図であり、図２に対応する図である。
【０１０３】
なお、図１３では、切断線ＣＬ３に最も近い導体Ｗ５とその次に位置している導体Ｗ５のみを示してあり、その他の導体の表示は省略してあり、素材Ｗ１の端面の表示は省略してある。また、図１３に白丸で示した状態では、導体検出手段１１、１３が導体を検出している。
【０１０４】
第４の実施形態に係るフレキシブルフラットケーブルの切断装置は、第１の導体検出手段１１の導体検出位置と、第２の導体検出手段１３の導体検出位置とが、第１の実施形態に係るフレキシブルフラットケーブルの切断装置１とは異なり、その他の点は、第１の実施形態に係るフレキシブルフラットケーブルの切断装置１と同様に構成されて動作し同様の効果を奏する。
【０１０５】
すなわち、１本の導体Ｗ５の幅方向の一端面の近傍であって常態において上記１本の導体Ｗ５が存在しないことを検出する位置に、第１の導体検出手段１１が設けられており、上記１本の導体Ｗ５とこの幅方向で離反し隣接して設けられている他の１本の導体Ｗ５の幅方向の一端面であって、上記１本の導体Ｗ５の一端面と対向している一端面の近傍に、第２の導体検出手段１３が設けられていると共に、常態において上記他１本の導体Ｗ５が存在しないことを検出する位置に、上記第２の導体検出手段１３が設けられている。
【０１０６】
そして、第１の導体検出手段１１が導体Ｗ５の存在を検出しておらず第２の導体検出手段１３も導体Ｗ５の存在を検出していない場合には、上記各カッター移動位置決め手段９、１７による各カッター７、１５の移動を中止し、上記各カッター移動位置決め手段９、１７によって各カッター７、１５をそのままの位置で保持するようになっている。
【０１０７】
一方、上記第１の導体検出手段１１または上記第２の導体検出手段１３が導体Ｗ５を検出している場合には、第１の導体検出手段１１が導体Ｗ５の存在を検出せず第２の導体検出手段１３も導体Ｗ５の存在を検出しないように、上記各カッター移動位置決め手段９、１７によって各カッター７、１５を、矢印ＡＲ１５や矢印ＡＲ１７の方向に移動し位置決めするようになっている。
【０１０８】
［第５の実施形態］
図１４は、第５の実施形態に係るフレキシブルフラットケーブルの切断装置の動作を示す図であり、図２に対応する図である。
【０１０９】
なお、図１４では、切断線ＣＬ３に最も近い導体Ｗ５とその次に位置している導体Ｗ５のみを示してあり、その他の導体の表示は省略してあり、素材Ｗ１の端面の表示は省略してある。また、図１４に黒丸で示した状態では、導体検出手段１１、１３が導体を検出している。
【０１１０】
第５の実施形態に係るフレキシブルフラットケーブルの切断装置は、第１の導体検出手段１１の導体検出位置と、第２の導体検出手段１３の導体検出位置とが、第１の実施形態に係るフレキシブルフラットケーブルの切断装置１とは異なり、その他の点は、第１の実施形態に係るフレキシブルフラットケーブルの切断装置１と同様に構成されて動作し同様の効果を奏する。
【０１１１】
すなわち、第５の実施形態に係るフレキシブルフラットケーブルの切断装置では、１本の導体Ｗ５の幅方向の一端面の近傍であって常態において上記１本の導体Ｗ５が存在することを検出する位置に、第１の導体検出手段１１が設けられており、上記１本の導体Ｗ５とこの幅方向で離反し隣接して設けられている他の１本の導体Ｗ５の幅方向の一端面であって、上記１本の導体Ｗ５の一端面と対向している一端面の近傍に、第２の導体検出手段１３が設けられていると共に、常態において上記他の１本の導体Ｗ５が存在することを検出する位置に、上記第２の導体検出手段１３が設けられている。
【０１１２】
そして、第１の導体検出手段１１が導体Ｗ５の存在を検出し第２の導体検出手段１３も導体の存在を検出している場合には、上記各カッター移動位置決め手段９、１７による各カッター７、１５の移動を中止し、上記各カッター移動位置決め手段９、１７によって各カッター７、１５をそのままの位置で保持するようになっている。
【０１１３】
一方、第１の導体検出手段１１または第２の導体検出手段１３が導体Ｗ５を検出していない場合には、第１の導体検出手段１１が導体Ｗ５の存在を検出し第２の導体検出手段１３も導体Ｗ５の存在を検出するように、上記各カッター移動位置決め手段９、１７によって各カッター７、１５を、矢印ＡＲ１９や矢印ＡＲ２１で示す方向に移動し位置決めするようになっている。
【０１１４】
ここで、さらに他の実施形態について説明する。
【０１１５】
図１５〜図１９は、フレキシブルフラットケーブルの切断装置の他の実施形態を示す図である。
【０１１６】
なお、図１５〜図１９では、複数の導体Ｗ５が示されており、素材Ｗ１の端面の表示は省略してある。また、図１５〜図１９に白丸で示した状態では、導体検出手段１１、１３が導体を検出しておらず、黒丸で示した状態では、導体検出手段１１、１３が導体を検出している。
【０１１７】
図１５に示すフレキシブルフラットケーブルの切断装置では、各導体検出手段１１、１３が、複数本（たとえば、２本）の導体にまたがって導体Ｗ５を検出している点が、上記第１の実施形態に係るフレキシブルフラットケーブルの切断装置１とは異なり、その他の点は、上記第１の実施形態に係るフレキシブルフラットケーブルの切断装置１と同様に構成され同様に動作する。
【０１１８】
図１６に示すフレキシブルフラットケーブルの切断装置では、各導体検出手段１１、１３が、複数本（たとえば、２本）の導体にまたがって導体Ｗ５を検出している点が、上記第２の実施形態に係るフレキシブルフラットケーブルの切断装置とは異なり、その他の点は、上記第２の実施形態に係るフレキシブルフラットケーブルの切断装置と同様に構成され同様に動作する。
【０１１９】
図１７に示すフレキシブルフラットケーブルの切断装置では、各導体検出手段１１、１３が、複数本（たとえば、２本）の導体にまたがって導体Ｗ５を検出している点が、上記第３の実施形態に係るフレキシブルフラットケーブルの切断装置とは異なり、その他の点は、上記第３の実施形態に係るフレキシブルフラットケーブルの切断装置と同様に構成され同様に動作する。
【０１２０】
図１８に示すフレキシブルフラットケーブルの切断装置では、各導体検出手段１１、１３が、複数本（たとえば、２本）の導体にまたがって導体Ｗ５を検出している点が、上記第４の実施形態に係るフレキシブルフラットケーブルの切断装置とは異なり、その他の点は、上記第４の実施形態に係るフレキシブルフラットケーブルの切断装置と同様に構成され同様に動作する。
【０１２１】
図１９に示すフレキシブルフラットケーブルの切断装置では、各導体検出手段１１、１３が、複数本（たとえば、２本）の導体にまたがって導体Ｗ５を検出している点が、上記第５の実施形態に係るフレキシブルフラットケーブルの切断装置とは異なり、その他の点は、上記第５の実施形態に係るフレキシブルフラットケーブルの切断装置と同様に構成され同様に動作する。
【図面の簡単な説明】
【０１２２】
【図１】本発明の第１の実施形態に係るフレキシブルフラットケーブルの切断装置の概略構成を示す斜視図である。
【図２】フレキシブルフラットケーブルの切断装置に載置されているフレキシブルフラットケーブルおよびフレキシブルが形成される前の素材の概略構成を示す平面図であり、図１におけるII矢視を示す図である。
【図３】図２におけるIIIＡ−IIIＢ断面である。
【図４】図２におけるIVＡ−IVＢ断面である。
【図５】図２におけるIVＡ−IVＢ断面であり、カバー部材の貫通孔を塞ぐように、補強部材が設けられた状態を示す図である。
【図６】フレキシブルフラットケーブルの切断装置の動作について説明する図であり、図２に対応する図である。
【図７】フレキシブルフラットケーブルの切断装置の動作について説明する図であり、図２に対応する図である。
【図８】フレキシブルフラットケーブルの切断装置の動作について説明する図であり、図２に対応する図である。
【図９】第２の実施形態に係るフレキシブルフラットケーブルの切断装置の動作を示す図であり、図２に対応する図である。
【図１０】第２の実施形態に係るフレキシブルフラットケーブルの切断装置の動作を示す図であり、図２に対応する図である。
【図１１】第２の実施形態に係るフレキシブルフラットケーブルの切断装置の動作を示す図であり、図２に対応する図である。
【図１２】第３の実施形態に係るフレキシブルフラットケーブルの切断装置の動作を示す図であり、図２に対応する図である。
【図１３】第４の実施形態に係るフレキシブルフラットケーブルの切断装置の動作を示す図であり、図２に対応する図である。
【図１４】第５の実施形態に係るフレキシブルフラットケーブルの切断装置の動作を示す図であり、図２に対応する図である。
【図１５】フレキシブルフラットケーブルの切断装置の他の実施形態を示す図である。
【図１６】フレキシブルフラットケーブルの切断装置の他の実施形態を示す図である。
【図１７】フレキシブルフラットケーブルの切断装置の他の実施形態を示す図である。
【図１８】フレキシブルフラットケーブルの切断装置の他の実施形態を示す図である。
【図１９】フレキシブルフラットケーブルの切断装置の他の実施形態を示す図である。
【図２０】従来のフレキシブルフラットケーブル切断装置の概略構成を示す斜視図である。
【符号の説明】
【０１２３】
１  フレキシブルフラットケーブルの切断装置
５  移動手段
７、１５  カッター
９、１７  カッター移動位置決め手段
１１、１３  導体検出手段
Ｗ１  素材
Ｗ５  導体
Ｗ１５  補強部材
【図１】
2005235477.tif 000003
【図２】
2005235477.tif 000004
【図３】
2005235477.tif 000005
【図４】
2005235477.tif 000006
【図５】
2005235477.tif 000007
【図６】
2005235477.tif 000008
【図７】
2005235477.tif 000009
【図８】
2005235477.tif 000010
【図９】
2005235477.tif 000011
【図１０】
2005235477.tif 000012
【図１１】
2005235477.tif 000013
【図１２】
2005235477.tif 000014
【図１３】
2005235477.tif 000015
【図１４】
2005235477.tif 000016
【図１５】
2005235477.tif 000017
【図１６】
2005235477.tif 000018
【図１７】
2005235477.tif 000019
【図１８】
2005235477.tif 000020
【図１９】
2005235477.tif 000021
【図２０】
2005235477.tif 000022